(57)【要約】【課題】既存の歯科治療ユニットに装備されているエアータービンハンドピースに代って、電動駆動機構内蔵のハンドピースを外付（後付）可能とする歯科用電動駆動機構内蔵の駆動ユニットを提供する。【解決手段】１０は、歯科治療ユニットに後付けして使用される歯科用マイクロエンジン駆動ユニットであって、歯科治療ユニットに備え付けのエアータービン用インスツルメントホースに接続可能な入力側接続端子１１と、モータ内蔵のマイクロエンジン用インスツルメントホースが接続可能な出力側接続端子１２と、前記モータ駆動用の電源を有する。前記歯科治療ユニットに備えられているエアータービンが接続されているインスツルメントホース９より該エアータービンを取り外し、入力側接続端子１１に接続する。モータ駆動用電源は、プラグ１６を通して、商用電源より得、駆動ユニット１０に、該モータの回転数を設定する。【選択図】        図１
2004167074.tif 000002
【特許請求の範囲】
【請求項１】
歯科治療ユニットに組み合せて使用される歯科用電動駆動機構内蔵インスツルメントの駆動ユニットであって、該歯科用電動駆動機構内蔵インスツルメント駆動ユニットは、前記歯科治療ユニットに備え付けのエアータービン用インスツルメントホースに接続可能な入力側接続端子と、電動駆動機構内蔵インスツルメント用のインスツルメントホースが接続可能な出力側接続端子と、前記電動駆動機構駆動用の電源を有し、前記歯科治療ユニットに備えられているエアータービンに代って前記電動駆動機構内蔵のインスツルメントを使用可能としたことを特徴とする歯科用電動駆動機構内蔵インスツルメントの駆動ユニット。
【請求項２】
前記エアータービン用インスツルメントホースの水回路及び／又はエアー回路が前記電動駆動機構内蔵インスツルメントホースの水回路及び／又はエアー回路に接続され、前記歯科治療ユニットに備えられている操作機構により制御されることを特徴とする請求項１に記載の歯科用電動駆動機構内蔵インスツルメント駆動ユニット。
【請求項３】
前記電動駆動機構は、マイクロエンジン用のモータ又はスケーラ用の超音波振動子又は光重合器用の発光電源であることを特徴とする請求項１又は２に記載の電動駆動機構内蔵インスツルメント駆動ユニット。
【請求項４】
前記入力側接続端子及び／又は前記出力側接続端子にはＩＳＯ規格に基いたインスツルメントホースが接続可能であることを特徴とする請求項１乃至３のいずれかに記載の歯科用電動駆動機構内蔵インスツルメント駆動ユニット。
【発明の詳細な説明】
【０００１】
【発明の属する技術分野】
本発明は、歯科用インスツルメント駆動ユニット、より詳細には、歯科治療ユニットに備えられている既存のエアータービンに代ってマイクロエンジン用のモータ、超音波振動子、発光電源等の電気駆動機構を内蔵したインスツルメントを後付（外付）可能とした歯科用電動駆動機構内蔵インスツルメント駆動ユニットに関する。
【０００２】
【従来の技術】
図３は、本発明が適用される一例としての歯科治療ユニットの概略構成を示す全体構成図で、該歯科治療ユニットは、治療椅子１，ワークテーブル２，スピットン３，無影灯４，インスツルメントホルダー５，フットコントローラ６，アシスタント用インスツルメントホルダー７，歯科治療用各種インスツルメント（ハンドピース）８，及び、各インスツルメントに対するインスツルメントホース９等から成り、インスツルメントホルダー５には、歯科治療において使用する、例えば、エアータービン，マイクロエンジン，スケーラ，シリンジ等のインスツルメント８が収納されており、周知のように、歯科治療に当り、患者は歯科治療椅子１に座り、頭を安頭台に固定し、一般的には、腕を肘受けに乗せて治療を受ける。治療中、術者は治療椅子１を上下動，起倒，傾斜動等させて、患者を治療しやすい姿勢にして治療を行う。
【０００３】
而して、最近では、例えばマイクロエンジンとして、ヘッド部にモータを内蔵したもの（例えば、特許文献１参照）が提案されており、新規に製造される歯科治療ユニットにおいては、このモータ内蔵のマイクロエンジンハンドピースが従来のエアータービンハンドピースに代って使用される傾向にある。
【０００４】
【発明が解決しようとする課題】
しかしながら、既に市販されている歯科治療ユニットにおいては、このモータ内蔵のマイクロエンジンハンドピースを使用することができず、最新技術の恩恵を受けることができない状態にある。
【０００５】
本発明は、上述のごとき実情に鑑みてなされたもので、既存の歯科治療ユニットに装備されているエアータービンハンドピースに代って、例えば、電動駆動機構内蔵のハンドピースを外付（後付）可能とする歯科用電動駆動機構内蔵の駆動ユニットを提供することを目的としてなされたものである。
【０００６】
【特許文献１】
特開２００１−３３３９１２号公報
【０００７】
【課題を解決するための手段】
請求項１の発明は、歯科治療ユニットに組み合せて使用される歯科用電動駆動機構内蔵インスツルメントの駆動ユニットであって、該歯科用電動駆動機構内蔵インスツルメント駆動ユニットは、前記歯科治療ユニットに備え付けのエアータービン用インスツルメントホースに接続可能な入力側接続端子と、電動駆動機構内蔵インスツルメント用のインスツルメントホースが接続可能な出力側接続端子と、前記電動駆動機構駆動用の電源を有し、前記歯科治療ユニットに備えられているエアータービンに代って前記電動駆動機構内蔵のインスツルメントを使用可能としたことを特徴としたものである。
【０００８】
請求項２の発明は、請求項１の発明において、前記エアータービン用インスツルメントホースの水回路及び／又はエアー回路が前記電動駆動機構内蔵インスツルメントホースの水回路及び／又はエアー回路に接続され、前記歯科治療ユニットに備えられている操作機構により制御されることを特徴としたものである。
【０００９】
請求項３の発明は、請求項１又は２の発明において、前記電動駆動機構は、マイクロエンジン用のモータ又はスケーラ用の超音波振動子又は光重合器用の発光電源であることを特徴としたものである。
【００１０】
請求項４の発明は、請求項１乃至３のいずれかの発明において、前記入力側接続端子及び／又は前記出力側接続端子にはＩＳＯ規格に基いたインスツルメントホースが接続可能であることを特徴としたものである。
【００１１】
【発明の実施の形態】
図１は、本発明が適用された一例としての歯科用電動駆動機構内蔵のハンドピース駆動ユニットの一実施例を説明するための全体外観図で、図中、１０は本発明による歯科用マイクロエンジン駆動ユニットにおけるユニット本体部（制御部）で、該ユニット本体１０は、使用時、一般的には、歯科治療ユニットにおけるワークテーブル２上に載置されて使用される。ユニット本体１０には、歯科治療ユニットに備えられているエアータービン用インスツルメントホース９に着脱可能に接続することのできる入力側接続端子１１と、モータ内蔵のハンドピース１４を着脱自在に装着することのできるインスツルメントホース１３を着脱可能に接続することのできる出力側接続端子１２が設けられている。
【００１２】
使用に当り、術者は、該歯科用マイクロエンジン駆動ユニット１０を、例えば、ワークテーブル２の上に置き、歯科治療ユニットに備えられているエアータービンハンドピース８用インスツルメントホース９から該エアータービンハンドピース８を取り外し、該エアータービンハンドピース８を取り外した後のインスツルメントホ−ス９を入力側接続端子１１に接続する。また、モータ内蔵ハンドピース１４を接続したインスツルメントホース１３を出力側接続端子に１２に接続し、図１に示す状態とする。また、ユニット本体１０には、先端に電源プラグ１６が設けられている、モータ駆動用の電源コード１５が設けられており、該プラグ１６が商用電源のコンセントに差し込まれ、モータ駆動用の電源を作成する。
【００１３】
図２は、本発明による歯科用電動駆動機構内蔵のハンドピース駆動ユニットにおける水回路、エアー回路、電気回路の概略を説明するための図で、周知のように、エアータービン用インスツルメントホース９内には、エアータービン駆動用のエアー回路９１，スプレー（水とエアーの混合体）用のエアー回路９２，スプレー用の水回路９３等が設けられており、従来、フットコントローラを制御して、エアータービンに供給するエアー回路９１の風量を調整して、エアータービンの回転数を制御し、歯牙切削中、切削部にエアー回路９２、水回路９３よりエアーと水の混合であるスプレーを噴射して切削部を冷却するようにしている。
【００１４】
本発明においても、フットコントローラは、前述のように操作され、前記従来のエアータービン操作と同様にして、タービン駆動用のエアー及び、スプレー用のエアー及び水が駆動ユニット本体１０に供給される。駆動ユニット本体１０は、前述のようにして、エアータービン駆動用のエアーがインスツルメントホース９を通して供給されてくると、該エアーが供給されたことを検知して、前記スプレー用のエアー回路及び水回路をモータ内蔵のマイクロエンジン１４インスツルメントホース１３のエアー回路１３２及び水回路１３３に連通させ、該マイクロエンジン１４より、歯牙切削部冷却用のスプレーを噴射させ、同時に、ハンドピース１４のヘッド部に内蔵されているモータを冷却するためのエアーをエアー回路１３１を通して該モータ部に供給する。
【００１５】
一方、商用電源からの電圧は、駆動ユニット本体１０内又は外付けの変換回路によってハンドピース内蔵モータの駆動に適した電圧に変換調整された後、電源リード線１３４を通してハンドピース１４に内蔵されているモータを駆動するために使用される。ハンドピース内蔵モータの駆動は、駆動ユニット本体１０に設けられている操作機構、例えば、モータの正逆転を決めるスイッチ、回転数（デジタル）／分を設定する設定手段、及び、その設定回転数を表示する液晶表示手段等を有し、前述のごとくして、フットスイッチが操作されて、エアー回路、及び、水回路が駆動された時に、モータに対する電源回路が成立し、該モータに対する駆動、停止をフットスイッチによって制御することができる。
【００１６】
なお、以上には、本発明をヘッド部にモータを内蔵したハンドピースに適用した例について説明したが、モータは必ずしもヘッド部に内蔵されているものでなくても、例えば、握持部に内蔵されているものでもよく、また、マイクロエンジンハンドピースに限定されるものでもなく、例えば、電気駆動式の超音波振動を備えたスケーラ、或いは、光重合用の光源を備えた光重合器等にも適用できる。その場合、スケーラに適用した場合には、スプレーは必要とするが冷却エアーは不要であるから、冷却用のエアー回路１３１は不要であり、光重合器に適用した場合には、スプレー用のエアー回路１３２及び水回路１３３は不要であり、駆動ユニット１０は、フットコントローラが操作された時に、これら不要な回路へのエアー及び水を遮断するように制御される。
【００１７】
また、最近では、ＩＳＯ規格に基いたハンドピース、インスツルメントホースが広く使用されるようになってきているが、既設の歯科治療ユニットにおけるハンドピースインスツルメントホース等がＩＳＯ規格でないような場合において、駆動ユニット１０の出力側接続端子１２としてＩＳＯ規格に合ったものと使用すれば、ＩＳＯ規格に合ったインスツルメントホース及びハンドピースを、既設の歯科治療ユニットに使用することができる。
【００１８】
【発明の効果】
以上の説明から明らかなように、本発明によると、既設の歯科治療ユニットに外付け（後付け）することによって、既設のエアータービンに対するコントロールユニットを利用して、電動駆動機構内蔵のハンドピースを駆動、制御することができる。既設のエアータービンに対する操作と同様の操作によって、電動駆動機構内蔵のハンドピースを駆動、制御することができるので、使用勝手が非常に良い。既設のエアータービンに代って、最新のハンドピースを使用することができ、作業効率が向上し、患者、術者の負担が軽減される。更には、ＩＳＯ規格に基くインスツルメントホースを使用することが可能となり、既設の歯科治療ユニットに対するインスツルメントの適用範囲が広くなる等の利点がある。
【図面の簡単な説明】
【図１】本発明による歯科用電動駆動機構内蔵のハンドピース駆動ユニットの一実施例を説明するための全体外観図である。
【図２】本発明による歯科用電動駆動機構内蔵のハンドピース駆動ユニットにおける水回路、エアー回路、電気回路の概略を説明するための図である。
【図３】本発明が適用される一例としての歯科治療ユニットの概略構成を示す全体構成図である。
【符号の説明】
１…歯科治療椅子、２…ワークテーブル、３…スピットン、４…無影灯、５…インスツルメントホルダー、６…フットコントローラ、７…アシスタント用インスツルメントホルダー、８…インスツルメント、９…インスツルメントホース、９１，９２…エアー回路、９３…水回路、１０…駆動ユニット本体、１１…入力側接続端子、１２…出力側接続端子、１３…インスツルメントホース、１３１，１３２…エアー回路、１３３…水回路、１３４…電源リード線、１４…ハンドピース、１５…電源コード、１６…電源プラグ。
【図１】
2004167074.tif 000003
【図２】
2004167074.tif 000004
【図３】
2004167074.tif 000005